【手続補正書】
【提出日】平成20年8月19日(2008.8.19)
【手続補正１】
【補正対象書類名】特許請求の範囲
【補正対象項目名】請求項６
【補正方法】変更
【補正の内容】
【請求項６】
演算処理手段の実行に供するコンテンツ出力装置の制御方法のプログラムであって、
前記コンテンツ出力装置が、
着脱可能に保持された記録媒体から、前記記録媒体に記録されたコンテンツを再生するコンテンツ再生部と、
前記コンテンツ再生部で再生された前記コンテンツのデータを復号する復号部と、
前記復号部で復号された前記コンテンツのデータを伝送対象に送出するデータ送信部と、
前記コンテンツ再生部で再生された前記コンテンツのモニタ用の映像及び又は音声を提供するモニタ部とを有し、
前記データ送信部によるデータ送出のプロトコルが、
コピー禁止のコンテンツのデータを送出する場合には、伝送対象との間で認証の処理を実行し、認証に成功した場合に、前記コンテンツのデータを暗号化して送出するプロトコルであり、
前記制御方法のプログラムは、
ユーザーによる指示により、前記記録媒体に記録された前記コンテンツの前記コンテンツ再生部による再生を開始して前記コピー防止検出部による検出結果を取得するコピー防止検出のステップと、
前記コピー防止検出のステップによる検出結果により、前記コンテンツ再生部により再生するコンテンツがコピー禁止でない場合、前記データ送信部により該コンテンツのデータを送出するデータ送出のステップと、
前記コピー防止検出のステップによる検出結果により、該コンテンツがコピー禁止である場合、前記データ送信部により該コンテンツのデータの送出を中止し、該データの送出の中止を前記モニタ部によりユーザーに通知するデータ送出中止のステップとを有する
ことを特徴とするコンテンツ出力装置の制御方法のプログラム。
【手続補正２】
【補正対象書類名】特許請求の範囲
【補正対象項目名】請求項７
【補正方法】変更
【補正の内容】
【請求項７】
演算処理手段の実行に供するコンテンツ出力装置の制御方法のプログラムを記録した記録媒体であって、
前記コンテンツ出力装置が、
着脱可能に保持された記録媒体から、前記記録媒体に記録されたコンテンツを再生するコンテンツ再生部と、
前記コンテンツ再生部で再生された前記コンテンツのデータを復号する復号部と、
前記復号部で復号された前記コンテンツのデータを伝送対象に送出するデータ送信部と、
前記コンテンツ再生部で再生された前記コンテンツのモニタ用の映像及び又は音声を提供するモニタ部とを有し、
前記データ送信部によるデータ送出のプロトコルが、
コピー禁止のコンテンツのデータを送出する場合には、伝送対象との間で認証の処理を実行し、認証に成功した場合に、前記コンテンツのデータを暗号化して送出するプロトコルであり、
前記制御方法のプログラムは、
ユーザーによる指示により、前記記録媒体に記録された前記コンテンツの前記コンテンツ再生部による再生を開始して前記コピー防止検出部による検出結果を取得するコピー防止検出のステップと、
前記コピー防止検出のステップによる検出結果により、前記コンテンツ再生部により再生するコンテンツがコピー禁止でない場合、前記データ送信部により該コンテンツのデータを送出するデータ送出のステップと、
前記コピー防止検出のステップによる検出結果により、該コンテンツがコピー禁止である場合、前記データ送信部により該コンテンツのデータの送出を中止し、該データの送出の中止を前記モニタ部によりユーザーに通知するデータ送出中止のステップとを有する
ことを特徴とするコンテンツ出力装置の制御方法のプログラムを記録した記録媒体。
【手続補正３】
【補正対象書類名】明細書
【補正対象項目名】００１１
【補正方法】変更
【補正の内容】
【００１１】
図１５は、図１４のステップＳＰ８に係るＨＤＣＰによる認証の処理を詳細に示すフローチャートである。出力機器は、この処理手順を開始すると、ステップＳＰ１１からステップＳＰ１２に移り、演算により乱数を生成し、この生成した乱数とＫＳＶ（Key Selection Vector）とを接続先の機器である伝送対象の機器に通知する。なおここでＫＳＶは、ＨＤＭＩ（HDMI）に係る機器が各々持っている各機器に固有のユニークな公開鍵である。
【手続補正４】
【補正対象書類名】明細書
【補正対象項目名】００２８
【補正方法】変更
【補正の内容】
【００２８】
また請求項６の発明は、演算処理手段の実行に供するコンテンツ出力装置の制御方法のプログラムに適用して、前記コンテンツ出力装置が、着脱可能に保持された記録媒体から、前記記録媒体に記録されたコンテンツを再生するコンテンツ再生部と、前記コンテンツ再生部で再生された前記コンテンツのデータを復号する復号部と、前記復号部で復号された前記コンテンツのデータを伝送対象に送出するデータ送信部と、前記コンテンツ再生部で再生された前記コンテンツのモニタ用の映像及び又は音声を提供するモニタ部とを有し、前記データ送信部によるデータ送出のプロトコルが、コピー禁止のコンテンツのデータを送出する場合には、伝送対象との間で認証の処理を実行し、認証に成功した場合に、前記コンテンツのデータを暗号化して送出するプロトコルであり、前記制御方法のプログラムは、ユーザーによる指示により前記記録媒体に記録された前記コンテンツの前記コンテンツ再生部による再生を開始して前記コピー防止検出部による検出結果を取得するコピー防止検出のステップと、前記コピー防止検出のステップによる検出結果により、前記コンテンツ再生部により再生するコンテンツがコピー禁止でない場合、前記データ送信部により該コンテンツのデータを送出するデータ送出のステップと、前記コピー防止検出のステップによる検出結果により、該コンテンツがコピー禁止である場合、前記データ送信部により該コンテンツのデータの送出を中止し、該データの送出の中止を前記モニタ部によりユーザーに通知するデータ送出中止のステップとを有する。
【手続補正５】
【補正対象書類名】明細書
【補正対象項目名】００２９
【補正方法】変更
【補正の内容】
【００２９】
また請求項７の発明は、演算処理手段の実行に供するコンテンツ出力装置の制御方法のプログラムを記録した記録媒体に適用して、前記コンテンツ出力装置が、着脱可能に保持された記録媒体から、前記記録媒体に記録されたコンテンツを再生するコンテンツ再生部と、前記コンテンツ再生部で再生された前記コンテンツのデータを復号する復号部と、前記復号部で復号された前記コンテンツのデータを伝送対象に送出するデータ送信部と、前記コンテンツ再生部で再生された前記コンテンツのモニタ用の映像及び又は音声を提供するモニタ部とを有し、前記データ送信部によるデータ送出のプロトコルが、コピー禁止のコンテンツのデータを送出する場合には、伝送対象との間で認証の処理を実行し、認証に成功した場合に、前記コンテンツのデータを暗号化して送出するプロトコルであり、前記制御方法のプログラムは、ユーザーによる指示により前記記録媒体に記録された前記コンテンツの前記コンテンツ再生部による再生を開始して前記コピー防止検出部による検出結果を取得するコピー防止検出のステップと、前記コピー防止検出のステップによる検出結果により、前記コンテンツ再生部により再生するコンテンツがコピー禁止でない場合、前記データ送信部により該コンテンツのデータを送出するデータ送出のステップと、前記コピー防止検出のステップによる検出結果により、該コンテンツがコピー禁止である場合、前記データ送信部により該コンテンツのデータの送出を中止し、該データの送出の中止を前記モニタ部によりユーザーに通知するデータ送出中止のステップとを有する。